(57)【特許請求の範囲】
【請求項１】
光学ヘッドの光ビームを、キックパルス生成手段の発生するキックパルスを用いてトラック・ジャンプさせる光ディスク装置のトラック・ジャンプ装置において、
前記キックパルス生成手段から各種の高さまたは幅を有するキックパルスを発生させ、その中からシンクパターンが検出されるまでの時間の計測において最短にトラック・ジャンプを正常終了させることが可能な高さまたは幅を有するキックパルスを検出する検出手段を設け、前記検出手段の検出した高さまたは幅を有するキックパルスによってトラック・ジャンプを実行することを特徴とするトラック・ジャンプ装置。
【請求項２】
前記検出手段が、光学ヘッドの出力する情報信号からシンクパターンを検出するシンクパターン検出手段と、前記シンクパターン検出手段により検出されるシンクパターンの検出状況を監視し、前記シンクパターンが検出されるまでの最も短い時間を測定するシンクパターン検出状況監視手段とを具備することを特徴とする請求項１に記載のトラック・ジャンプ装置。
【発明の詳細な説明】
【０００１】
【発明の属する技術分野】
本発明は、光ディスク装置において光学ヘッドの光ビームを光ディスク上の隣接トラックに移動させるトラック・ジャンプ装置に関し、特に、安定したトラック・ジャンプを可能にしたものである。
【０００２】
【従来の技術】
光ディスク装置は、再生時に光学ヘッドの光ビームが光ディスクのトラックから外れないように光学ヘッドの位置を制御する機構と、光学ヘッドを光ディスクの任意のトラック位置に移動させるために、トラックを横切る方向に光学ヘッドを駆動するトラック・ジャンプ制御機構とを備えている。
【０００３】
従来の光ディスク装置におけるトラック・ジャンプ装置の構成については、例えば「ＣＤ  −オーディオからパソコンへ−」（コロナ社）Ｐ．５０に記載されている。この装置は、図３に示すように、光ディスク１２に光ビームを照射し反射光を導出する光学素子３、制御信号に応じて光学素子３の光ディスク面に沿う方向の動きを規制するトラッキング・アクチュエータ２、及び制御信号に応じて光学素子３の光ディスク面に垂直な方向の動きを規制する図示しないフォーカスアクチュエータによって構成される光学ヘッド１と、光学ヘッド１で読み取った情報を加工、増幅するヘッドアンプ４と、光ビームが光ディスク１２のトラックから外れないように制御信号を送るトラッキング・サーボフィルタ５と、制御信号に応じてトラッキング・アクチュエータ２を駆動する駆動手段７と、トラック・ジャンプを制御するためのパルス（キックパルス）を出力するキックパルス生成手段８と、光ビームがトラックを横断した時点を検出するトラッククロス検出手段９と、駆動手段７の接続をトラッキング・サーボフィルタ５またはキックパルス生成手段８に切り換える切換手段６とを備えている。
【０００４】
この装置は、次のように動作する。
【０００５】
再生時には、トラッキング・アクチュエータ２、光学素子３、ヘッドアンプ４、トラッキング・サーボフィルタ５、切換手段６及び駆動手段７によってサーボループが形成され、光ディスク１２の溝上を照射している光ビームがその溝からズレると、光学ヘッド１からの情報を加工、増幅しているヘッドアンプ４がトラッキング誤差信号を出力し、トラッキング・サーボフィルタ５が、このトラッキング誤差信号に基づいてそのズレを補償する制御信号を出力し、駆動手段が、この制御信号によりトラッキング・アクチュエータ２を駆動する。その結果、光ビームのトラックからのズレが補正される。
【０００６】
一方、光ディスク１２上の隣接トラックに光ビームを移動させる場合は、切換手段６をキックパルス生成手段８側に切り換えて、駆動手段７にキックパルスを送り込む。このキックパルスは、光ビームの移動方向の動きを加速する加速パルスと減速する減速パルスとで構成されており、キックパルス生成手段８は、トラッククロス検出手段９からの検出信号によって両パルスの切り換えを行う。
【０００７】
トラッキング・アクチュエータ２は、駆動手段７に加速パルスが入力されると、光ディスク１２上の隣のトラックに光ビームを移動させることができる。このとき、光ビームの行き過ぎを防ぎ、所定位置に定置させるため、キックパルス生成手段８は、トラッククロス検出手段９がトラックの横断を検出した時点で減速パルスを出力する。こうすることにより、キックパルスの強さが適切であれば、光ビームを隣のトラックに比較的安定して移動させることができる。
【０００８】
【発明が解決しようとする課題】
しかし、従来のトラック・ジャンプ装置では、キックパルスの高さ（電圧または電流値）及び幅（時間）を一定に設定しているが、トラッキング・アクチュエータの感度は、初期バラツキ、温度変動、あるいは経時劣化などに起因して必ずしも一定していない。そのため、常に安定的なトラック・ジャンプを行うことができないという問題点がある。
【０００９】
本発明は、こうした従来の問題点を解決するものであり、キックパルスの高さ及び幅を最適化することによって、安定したトラック・ジャンプを可能にするトラック・ジャンプ装置を提供することを目的としている。
【００１０】
【課題を解決するための手段】
そこで、本発明のトラック・ジャンプ装置では、トラック・ジャンプを実行する前に、キックパルスの高さ及び幅を種々に変えてトラック・ジャンプを試行し、最適の結果をもたらすキックパルスの高さ及び幅を学習するように構成している。
【００１１】
【発明の実施の形態】
本発明の請求項１に記載の発明は、光学ヘッドの光ビームを、キックパルス生成手段の発生するキックパルスを用いてトラック・ジャンプさせる光ディスク装置のトラック・ジャンプ装置において、キックパルス生成手段から各種の高さまたは幅を有するキックパルスを発生させ、その中からシンクパターンが検出されるまでの時間の計測において最短にトラック・ジャンプを正常終了させることが可能な高さまたは幅を有するキックパルスを検出する検出手段を設け、この検出手段の検出した高さまたは幅を有するキックパルスによってトラック・ジャンプを実行するように構成したものであり、どのような状況においても最適の高さまたは幅を有するキックパルスによってトラック・ジャンプを実行することができる。
【００１２】
請求項２に記載の発明は、この検出手段を、光学ヘッドの出力する情報信号からシンクパターン（光ディスクの溝のパターン）を検出するシンクパターン検出手段と、このシンクパターン検出手段により検出されるシンクパターンの検出状況を監視し、前記シンクパターンが検出されるまでの最も短い時間を測定するシンクパターン検出状況監視手段とで構成したものであり、キックパルスの高さ及び幅を、最適なタイミングでシンクパターンが検出できるように調整することにより、キックパルスの最適化を図ることができる。
【００１４】
以下、本発明の実施の形態について、図面を用いて説明する。
【００１５】
（第１の実施の形態）
第１の実施形態のトラック・ジャンプ装置は、図１に示すように、ヘッドアンプ４の出力する情報信号からシンクパターンを検出するシンクパターン検出手段１１と、シンクパターンが安定して検出されるまでの時間を測定するシンクパターン検出状況監視手段１０とを備えている。その他の構成は従来の装置（図３）と変わりがない。
【００１６】
この装置では、再生時に、光学素子３、ヘッドアンプ４、サーボフィルタ５、切換手段６、駆動手段７、及びトラッキング・アクチュエータ２から成るサーボループが形成され、光ヘッド１からの光ビームが光ディスク１２の連続した溝上を照射するように制御が行われる。
【００１７】
一方、トラック・ジャンプを行う場合は、予めキックパルスの高さ及び幅の最適値を学習し、学習で得られた最適値の高さ及び幅を有するキックパルスを用いてトラック・ジャンプを実行する。
【００１８】
この学習を行うため、切換手段６をキックパルス生成手段８側に接続し、キックパルス生成手段８から種々の高さ及び幅を持つ加速パルスと減速パルスとを、トラッククロス検出手段９の検出タイミングを基に切り換えて出力し、トラック・ジャンプを試行する。そして、このときのシンクパターンが安定して検出されるまでの時間を目安にキックパルスの最適な高さ及び幅を設定する。
【００１９】
シンクパターンは、通常の再生時において、光ディスクから読み出された情報信号の同期を取るために用いられる。ジャンプ中は同期が外れ、ジャンプが終了し、ディスクの情報信号が安定して出力されるようになって始めて検出され、同期が取れるようになる。この実施形態では、この特性を利用して、隣のトラックへ移動するときに、同期はずれの時間が最も短くなるようにキックパルスの高さ及び幅を調整する。
【００２０】
シンクパターン検出手段１１は、光学素子３より出力され、ヘッドアンプ４で加工、増幅された情報信号の中からシンクパターンを検出するが、ジャンプ中及びジャンプ直後では情報信号が乱れるためシンクパターンの検出が困難となる。シンクパターン検出状況監視手段１０は、ジャンプ開始からジャンプ終了後に渡ってシンクパターンの検出状況を監視し、キックパルスのそれぞれの高さ及び幅において、シンクパターンが安定して検出されるまでの時間を測定する。そして、ジャンプ終了後に最も短い時間でシンクパターンを検出することができたキックパルスの高さ及び幅をキックパルス生成手段８に伝え、キックパルスをこの高さ及び幅に変えるように指示を出す。その結果、キックパルス生成手段８の発生するキックパルスの高さ及び幅が最適化される。
【００２１】
このように、このトラック・ジャンプ装置では、事前にキックパルスの高さ及び幅を最適化することができるため、以後、安定したトラック・ジャンプを実行することができる。
【００２２】
（第２の実施の形態）
第２の実施形態のトラック・ジャンプ装置は、図２に示すように、ヘッドアンプ４に、光ビームが光ディスク１２のトラックとトラックとの間を照射しているオフトラックの状態を検出するオフトラック検出回路１３を具備し、また、オフトラック検出回路１３の検出信号に基づいてオフトラック時間を測定するオフトラック検出監視手段１４を備えている。その他の構成は従来の装置（図３）と変わりがない。
【００２３】
この装置では、トラック・ジャンプの実行に先立つ学習において、オフトラック信号を利用してキックパルスの最適値を設定する。
【００２４】
光ディスクから読み出される情報信号は、隣接トラックを横切る場合に、その信号レベルが変動する。この実施形態では、これを利用し、変動レベルをコンパレートし、デジタル化したオフトラック信号が、トラッククロス信号が検出された後（隣のトラックに光ビームが移動した後）に、最短でオントラック状態になるようにキックパルスの高さ及び幅を調整する。
【００２５】
事前の学習では、切換手段６をキックパルス生成手段８側に接続し、キックパルス生成手段８から種々の高さ及び幅を持つ加速パルスと減速パルスとを、トラッククロス検出手段９の検出タイミングを基に切り換えて出力する。このとき、光学ヘッド１からの情報信号がヘッドアンプ４内のオフトラック検出回路１３に入力し、オフトラック検出回路１３は、光ビームがトラックを横切る際の情報信号の振幅変動からオフトラック情報を検出する。
【００２６】
オフトラック検出回路１３から出力されたオフトラック検出信号はオフトラック検出監視手段１４に入力し、オフトラック検出監視手段１４は、それぞれの高さ及び幅を持つキックパルスに対応するオフトラック時間を測定し、キックパルス生成手段８に対し、キックパルスの高さ及び幅を、トラック・ジャンプ中のオフトラック時間が最短になる高さ及び幅に変えるように指示を出す。
【００２７】
こうした学習を行うことによって、最適なキックパルスを見出すことができ、以後、このキックパルスを用いることにより、安定した動作のトラック・ジャンプを実行することができる。
【００２８】
【発明の効果】
以上の説明から明らかなように、本発明のトラック・ジャンプ装置は、トラッキング・アクチュエータ感度に初期バラツキあっても、また、トラッキング・アクチュエータ感度が温度変化に伴って変動しても、さらに、トラッキング・アクチュエータ感度が経時劣化を起こしたとしても、安定したトラック・ジャンプを実行することができる。
【図面の簡単な説明】
【図１】本発明の第１の実施形態におけるトラック・ジャンプ装置の概略図、
【図２】本発明の第２の実施形態におけるトラック・ジャンプ装置の概略図、
【図３】従来のトラック・ジャンプ装置の概略図である。
【符号の説明】
１  光学ヘッド
２  トラッキング・アクチュエータ
３  光学素子
４  ヘッドアンプ
５  トラッキング・サーボフィルタ
６  切換手段
７  駆動手段
８  キックパルス生成手段
９  トラッククロス検出手段
１０  シンクパターン検出状況監視手段
１１  シンクパターン検出手段
１２  光ディスク
１３  オフトラック検出回路
１４  オフトラック検出監視手段
【図１】
0003589523.tif 000002
【図２】
0003589523.tif 000003
【図３】
0003589523.tif 000004